【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
ＡＭコンパチブルデジタル音声放送信号を受信する受信機であって、
ラジオチャンネルの中心に位置し、アナログ信号により変調されたアナログ変調キャリア信号と、オーバーラップする区分にマッピングされた符号を含む相補パターンマッピングトレリス符号変調（ＣＰＴＣＭ）を用いて変調された、ラジオチャンネルの複数のデジタル変調サブキャリア信号とより成る複合信号を受信するアンテナと、
複合信号に応答して出力を発生させる手段とより成り、
第１の動作モードにおいて、アナログ変調キャリア信号及び複数のデジタル変調サブキャリア信号は２０ｋＨｚのチャンネル内にあって、アナログ変調信号は複数のデジタル変調サブキャリア信号に関して遅延され、また、第２の動作モードにおいて、アナログ変調キャリア信号及び複数のデジタル変調サブキャリア信号は３０ｋＨｚのチャンネル内にあって、複数のデジタル変調サブキャリア信号の第１のグループは複数のデジタル変調サブキャリア信号の第２のグループに関して遅延されるＡＭコンパチブルデジタル音声放送信号を受信する受信機。
【請求項２】
前記符号は相補パンクチャド畳込みコードより成る請求項１の受信機。
【請求項３】
複合信号及びデータサービス信号はインターリーバーブロックの境界上で処理される請求項１の受信機。
【請求項４】
ＡＭコンパチブルデジタル音声放送信号を放送する方法であって、
ラジオチャンネルの中心に位置し、アナログ信号により変調されたアナログ変調キャリア信号を発生させ、
オーバーラップする区分にマッピングされた符号を含む相補パターンマッピングトレリス符号変調（ＣＰＴＣＭ）を用いて変調された、ラジオチャンネルの複数のデジタル変調サブキャリア信号を発生させ、
アナログ変調キャリア信号及び複数のデジタル変調サブキャリア信号を送信するステップより成り、
第１の動作モードにおいて、アナログ変調キャリア信号及び複数のデジタル変調サブキャリア信号は２０ｋＨｚのチャンネル内にあって、アナログ変調信号は複数のデジタル変調サブキャリア信号に関して遅延され、また、第２の動作モードにおいて、アナログ変調キャリア信号及び複数のデジタル変調サブキャリア信号は３０ｋＨｚのチャンネル内にあって、複数のデジタル変調サブキャリア信号の第１のグループは複数のデジタル変調サブキャリア信号の第２のグループに関して遅延されるＡＭコンパチブルデジタル音声放送信号を放送する方法。
【請求項５】
前記符号は相補パンクチャド畳込みコードより成る請求項４の方法。
【請求項６】
ＡＭコンパチブルデジタル音声放送信号を放送する方法であって、
ラジオチャンネルの中心に位置し、アナログ信号により変調されたアナログ変調キャリア信号を発生させ、
オーバーラップする区分にマッピングされた符号を含む相補パターンマッピングトレリス符号変調（ＣＰＴＣＭ）を用いて変調された、ラジオチャンネルの複数のデジタル変調サブキャリア信号を発生させ、
アナログ変調キャリア信号及び複数のデジタル変調サブキャリア信号を送信するステップより成り、
アナログ変調キャリア信号及び複数のデジタル変調サブキャリア信号は３０ｋＨｚのチャンネル内にあり、
さらに、干渉状態に応じて、上方区分のサブキャリアのうちのサブキャリアまたは下方区分のサブキャリアのうちのサブキャリアもしくは上方区分及び下方区分の両方のサブキャリアのうちのサブキャリアを消滅させるか抑制するステップを含むＡＭコンパチブルデジタル音声放送信号を放送する方法。
【請求項７】
ＡＭコンパチブルデジタル音声放送信号を放送する送信機であって、
ラジオチャンネルの中心に位置し、アナログ信号により変調されたアナログ変調キャリア信号を発生させるアナログ変調器と、
オーバーラップする区分にマッピングされた符号を含む相補パターンマッピングトレリス符号変調を用いて変調された、ラジオチャンネルの複数のデジタル変調サブキャリア信号を発生させるデジタル変調器と、
アナログ変調信号及び複数のデジタル変調サブキャリア信号を放送するアンテナとより成り、
第１の動作モードにおいて、アナログ変調キャリア信号及び複数のデジタル変調サブキャリア信号は２０ｋＨｚのチャンネル内にあって、アナログ変調信号は複数のデジタル変調サブキャリア信号に関して遅延され、また、第２の動作モードにおいて、アナログ変調キャリア信号及び複数のデジタル変調サブキャリア信号は３０ｋＨｚのチャンネル内にあって、複数のデジタル変調サブキャリア信号の第１のグループは複数のデジタル変調サブキャリア信号の第２のグループに関して遅延されるＡＭコンパチブルデジタル音声放送信号を放送する送信機。
【請求項８】
前記符号は相補パンクチャド畳込みコードより成る請求項７の送信機。
【請求項９】
ＡＭコンパチブルデジタル音声放送信号を受信する受信機であって、
ラジオチャンネルの中心に位置し、アナログ信号により変調されたアナログ変調キャリア信号と、オーバーラップする区分にマッピングされた符号を含む相補パターンマッピングトレリス符号変調を用いて変調された、ラジオチャンネルの複数のデジタル変調サブキャリア信号とより成る複合信号を受信するアンテナと、
複合信号に応答して出力を発生させる出力装置とより成り、
第１の動作モードにおいて、アナログ変調キャリア信号及び複数のデジタル変調サブキャリア信号は２０ｋＨｚのチャンネル内にあって、アナログ変調信号は複数のデジタル変調サブキャリア信号に関して遅延され、また、第２の動作モードにおいて、アナログ変調キャリア信号及び複数のデジタル変調サブキャリア信号は３０ｋＨｚのチャンネル内にあって、複数のデジタル変調サブキャリア信号の第１のグループは複数のデジタル変調サブキャリア信号の第２のグループに関して遅延されるＡＭコンパチブルデジタル音声放送信号を受信する受信機。
【請求項１０】
前記符号は相補パンクチャド畳込みコードより成る請求項９の受信機。
【請求項１１】
複合信号及びデータサービス信号はインターリーバーブロックの境界上で処理される請求項９の受信機。
【請求項１２】
ＡＭコンパチブルデジタル音声放送信号を放送する方法であって、
ラジオチャンネルの中心に位置し、アナログ信号により変調されたアナログ変調キャリア信号を発生させ、
相補変調サブキャリア信号であり、アナログ変調キャリアより第１のマージンだけ低い出力スペクトル密度を有する、ラジオチャンネルの第１の部分内の第１の複数のサブキャリア信号及びラジオチャンネルの第２の部分内の第２の複数のサブキャリア信号を発生させ、
相補変調サブキャリア信号であり、アナログ変調キャリアより第２のマージンだけ低い出力スペクトル密度を有する、ラジオチャンネルの第３の部分内の第３の複数のサブキャリア信号及びラジオチャンネルの第４の部分内の第４の複数のサブキャリア信号を発生させ、
アナログ変調キャリアより第３のマージンだけ低い出力スペクトル密度を有する、ラジオチャンネルの第５の部分内の第５の複数のサブキャリア信号及びラジオチャンネルの第６の部分内の第６の複数のサブキャリア信号を発生させ、
第１、第２、第３、第４、第５及び第６の複数のサブキャリア信号を送信するステップより成り、
第１、第２、第３、第４、第５及び第６の複数のサブキャリア信号は１またはそれ以上のデジタル信号により変調され、第１のマージンは第２のマージンより大きく、第２のマージンは第３のマージンより大きいＡＭコンパチブルデジタル音声放送信号を放送する方法。
【請求項１３】
前記デジタル信号は相補パターンマッピング信号である請求項１２の方法。
【請求項１４】
第１及び第２の複数のサブキャリア信号はＱＰＳＫ変調されており、第３、第４、第５及び第６の複数のサブキャリア信号は１６−ＱＡＭ変調されている請求項１２の方法。
【請求項１５】
ラジオチャンネルの第１の部分はアナログ変調キャリアから約０ｋＨｚと約＋６ｋＨｚとの間の周波数成分を包含し、
ラジオチャンネルの第２の部分はアナログ変調キャリアから約０ｋＨｚと約−６ｋＨｚとの間の周波数成分を包含し、
ラジオチャンネルの第３の部分はアナログ変調キャリアから約＋６ｋＨｚと約＋７ｋＨｚとの間の周波数成分を包含し、
ラジオチャンネルの第４の部分はアナログ変調キャリアから約−６ｋＨｚと約−７ｋＨｚとの間の周波数成分を包含し、
ラジオチャンネルの第５の部分はアナログ変調キャリアから約＋７ｋＨｚと約＋１０ｋＨｚとの間の周波数成分を包含し、
ラジオチャンネルの第６の部分はアナログ変調キャリアから約−７ｋＨｚと約−１０ｋＨｚとの間の周波数成分を包含する請求項１２の方法。
【請求項１６】
アナログ変調信号より少なくとも４０ｄＢｃ低い出力スペクトル密度を有する、ラジオチャンネルの第７の部分内の第７の複数のサブキャリア信号と、ラジオチャンネルの第８の部分内の第８の複数のサブキャリア信号とを発生させるステップをさらに含み、
第７及び第８の複数のサブキャリア信号は前記１またはそれ以上のデジタル信号により変調されている請求項１２の方法。
【請求項１７】
前記デジタル信号はレート４／５で符号化された２５ｋｂｐｓの信号である請求項１６の方法。
【請求項１８】
ラジオチャンネルの第７の部分はアナログ変調キャリアから約＋１０ｋＨｚと約＋１５ｋＨｚとの間の周波数成分を包含し、
ラジオチャンネルの第８の部分はアナログ変調キャリアから約−１０ｋＨｚと約−１５ｋＨｚとの間の周波数成分を包含する請求項１６の方法。
【請求項１９】
干渉状態に応じて、第７の複数のサブキャリアまたは第８の複数のサブキャリアもしくは第７及び第８の複数のサブキャリアを消滅させるか抑制するステップをさらに含む請求項１６の方法。